(57)【特許請求の範囲】
【請求項１】
電気機器本体を運転操作するリモコンであって、
前記リモコンは、表示部と、操作部と、制御部とを有し、
前記表示部は、前記電気機器本体の複数の運転設定項目を表示する運転設定項目メニュー画面と、前記電気機器本体の運転状態と特定の運転設定項目毎に割り付けられる複数のショートカットメニューとを表示する画面を表示し、
前記操作部は、前記各運転設定項目の表示、選択および決定を行う複数のキーを有し、
前記制御部は、前記運転設定項目毎に操作部による操作回数を記憶し、前記複数の運転設定項目のうち操作回数が多いものを前記特定の運転設定項目として前記特定の運転設定項目に割り付けられたショートカットメニューを前記表示部に表示させて、表示されている複数のショートカットメニューに対応する各運転設定項目のうち操作回数が一番少ないものと、現在、前記複数のショートカットメニューとして表示されていない運転設定項目のうち操作回数が一番多いものとの操作回数の大小関係が入れ替わったときにそれぞれを入れ替えるとともに、現在、前記複数のショートカットメニューに表示されている運転設定項目のうち、一の運転設定項目の操作回数と他の運転設定項目の操作回数との大小関係が操作される度に入れ替わっても、現在の前記表示部における前記各ショートカットメニューの表示位置を維持する
ことを特徴とするリモコン。
【請求項２】
請求項１に記載のリモコンを備えた電気機器。
【発明の詳細な説明】
【技術分野】
【０００１】
本発明は、操作性を向上させたリモコンおよびこれを備えた電気機器に関する。
【背景技術】
【０００２】
近年、リモコンによって遠隔操作される電気機器は、高機能化により様々な設定を行う必要がある。例えば、電気機器の一種である空気調和機では、従来から搭載されている運転開始／停止キーや運転モード選択キー、風量調節キー等といった運転設定項目に加えて、集塵フィルタの自動清掃、マイナスイオンやオゾンを使用した室内機内部の脱臭・清掃等といった新機能に関する設定項目を持つものがある。
【０００３】
上記のような高機能化された空気調和機を操作するリモコンには、搭載された機能についての設定を行うための操作キーを設ける必要がある。しかし、操作キーに加えて運転状況や設定情報を表示する表示部を設ける必要があるリモコンでは、操作キーを設けるスペースに限界があり、全ての運転設定項目や新機能に対応する操作キーを設けることができない。
【０００４】
そこで、リモコンに設ける操作キーの数を減らすために、運転設定項目をメニュー化して階層構造に構築する方法がよく用いられる。このような方法を用いたリモコンには、ドットマトリクスタイプの液晶パネルによって表示を自由に変えることができる表示部が備えられており、設定が必要な運転設定項目のメニューをこの表示部に表示させ、その中から一つの運転設定項目を選択すれば下の階層に進んで選択した運転設定項目のより詳細な設定メニューが表示部に表示される、というように選択をする度により下の階層へと操作を進めていくこととなる。
【０００５】
上記のような運転設定項目をメニュー化して階層構造に構築してなるリモコンでは、ある運転設定項目の設定を行う際に、最上層の設定メニューでの選択から順次下の階層へと進めていくことになるので、運転設定項目によっては操作手順が多くなる。そして、当該運転設定項目が設定変更を頻繁に行う運転設定項目つまり操作頻度の高い運転設定項目である場合は、設定変更が必要となる度に同じ操作を行うこととなり、使用者にとって煩わしいものとなる。
【０００６】
以上のような問題を解決するものとして、使用者が設定操作を行う際に手間のかかる運転設定項目や操作頻度の高い運転設定項目についてショートカットメニューを備えるものが提案されている（例えば、特許文献１）。特許文献１では、ショートカットメニューであるお好みメニューを表示部の基本画面に表示するファクシミリ装置が提案されており、このお好みメニューに使用者の操作頻度が高い運転設定項目が割り付けられている。使用者は、お好みメニューに割り付けられている運転設定項目についての設定を行うときは、このお好みメニューを選択することで少ない操作回数で当該運転設定項目の設定操作を実行できるようになっている。
【先行技術文献】
【特許文献】
【０００７】
【特許文献１】特開平４−３３９４５４号公報
【発明の概要】
【発明が解決しようとする課題】
【０００８】
特許文献１に記載されているショートカットメニューを使用するためには、操作頻度の高い運転設定項目をお好みメニューに割り付ける登録操作を行う必要がある。このような登録操作は、定められた手順に従って使用者が自ら行う必要があるので、初めて登録操作を行う使用者にとってはこの登録操作を行うことが大きな負担となっていた。また、使用者が電気機器にショートカットメニューがあることを知らない場合があり、ショートカットメニューを知らない使用者は操作頻度の高い運転設定項目について設定を行う度に煩わしい操作を繰り返しているという問題があった。
【０００９】
本発明は上記課題に鑑みてなされたものであり、操作頻度の高い運転設定項目を自動的にショートカットメニューに設定することができるリモコンを備えた空気調和機を提供することを目的とする。
【課題を解決するための手段】
【００１０】
本発明は上述の課題を解決するものであって、本発明のリモコンは、電気機器本体を運転操作するものであって、表示部と操作部と制御部とを有し、表示部は、電気機器本体の複数の運転設定項目を表示する運転設定項目メニュー画面と、電気機器本体の運転状態と特定の運転設定項目毎に割り付けられる複数のショートカットメニューとを表示する画面を表示し、操作部は、各運転設定項目の表示、選択および決定を行う複数のキーを有し、制御部は、運転設定項目毎に操作部による操作回数を記憶し、複数の運転設定項目のうち操作回数が多いものを特定の運転設定項目として割り付けられたショートカットメニューを表示部に表示させて、表示されている複数のショートカットメニューに対応する各運転設定項目のうち操作回数が一番少ないものと、現在、複数のショートカットメニューとして表示されていない運転設定項目のうち操作回数が一番多いものとの操作回数の大小関係が入れ替わったときにそれぞれを入れ替えるとともに、現在、複数のショートカットメニューに表示されている運転設定項目のうち、一の運転設定項目の操作回数と他の運転設定項目の操作回数との大小関係が操作される度に入れ替わっても、現在の表示部における各ショートカットメニューの表示位置を維持する。
【発明の効果】
【００１１】
本発明のリモコンは、電気機器本体の運転設定項目毎に操作された回数を記憶し、操作回数の多い運転設定項目を自動でショートカットメニューとして自動的に表示する。従って、煩わしいショートカットメニューの登録操作が必要なく、かつ、操作頻度の高い運転設定項目についての設定を行う度に煩わしい操作を繰り返すということも防ぐことができる。
【図面の簡単な説明】
【００１２】
【図１】本発明の実施形態における、空気調和機の概略図である。
【図２】本発明の実施形態における、リモコンの説明図である。
【図３】本発明の実施形態における、リモコンの構成ブロック図である。
【図４】リモコンで運転設定項目の設定を行う際の表示部を表す図面である。
【図５】第３ショートカットメニューが入れ替わったときの表示部を表す図面である。
【図６】本発明の実施形態における、リモコンの制御部がショートカットメニューに表示する運転設定項目を決定する際の処理を示すフローチャートである。
【図７】本発明の他の実施形態における、リモコンの制御部がショートカットメニューに表示する運転設定項目を決定する際の処理を示すフローチャートである。
【発明を実施するための形態】
【００１３】
以下、本発明に係るリモコンおよびこれを備えた電気機器の実施の形態を、添付図面に基づいて詳細に説明する。実施形態としては、電気機器の一種であり、冷媒配管で接続された室内機および室外機と、室内機を運転操作できるリモコンを有する空気調和機を例に挙げて説明する。尚、本発明は以下の実施形態に限定されることはなく、本発明の主旨を逸脱しない範囲で種々変形することが可能である。
【実施例１】
【００１４】
まず、本発明に係る空気調和機１の概略構成について説明する。図１に示すように、空気調和機１は、室内に配置され横長の略直方体形状を有する室内機１０（本発明の電気機器本体に相当）と、屋外に配置され室内機１０と２本の冷媒配管４０で接続される室外機３０と、室内機１０を運転操作できるリモコン２０を有している。空気調和機１が運転を開始すると、冷媒配管４０を介して室内機１０と室外機３０の間で冷媒が循環し、室内機１０において室内空気が冷媒により加熱あるいは冷却される。これにより、室内の暖房あるいは冷房が行われる。
【００１５】
次に、リモコン２０について説明する。リモコン２０は、図３に示すように、使用者の操作を受け付ける操作部２２と、運転情報や使用者がリモコン２０を操作する際のメニュー画面等を表示する表示部２３と、リモコン２０の制御に関わるプログラムやデータ等を記憶する記憶部２４と、室内機１０に使用者が操作部２２を操作して指示した運転内容に応じた信号を送信する送信部２５と、時間を計測する計時部２６と、使用者の操作に応じた室内機１０への運転指示や表示部２３に表示する画像データの表示制御を行う制御部２１とを備えている。
【００１６】
図２に示すように、リモコン２０は樹脂材で略直方体形状に形成された筐体を有し、この筐体の表面には、操作部２２や表示部２３が備えられている。表示部２３は、リモコン２０の筐体表面上側に配置されており、ドットマトリクスタイプの液晶パネルで構成されている。表示部２３には、後述する階層構造に構築された運転設定項目の設定手順に応じた設定画面が表示されるようになっているため、設定画面もこれに合わせて階層構造を有している。
【００１７】
尚、図２では、表示部２３に階層構造を有する設定画面の一つであり最上層の画面であるトップ画面２３ｄが表示されている場合を図示している。このトップ画面２３ｄには、室内機１０の現在の運転モード、現在の設定温度、現在の時刻、後述する第１ショートカットメニュー２３ａ、第２ショートカットメニュー２３ｂ、および第３ショートカットメニュー２３ｃが表示される。
【００１８】
操作部２２は、リモコン２０の筐体表面下側に配置されており、リモコン２０の表示部２３に表示される項目の選択に使用するカーソルキー２２ｂ、選択した項目を決定する決定キー２２ａ、階層構造を有する設定画面の一つであり後述する運転設定項目メニュー画面２３ｅを表示部２３に表示させるためのメニューキー２２ｃ、空気調和機１の運転あるいは停止を指示する運転／停止キー２２ｄが配置されている。
【００１９】
次に、図４を用いて、リモコン２０を操作して空気調和機１に設けられている運転設定項目を設定する方法を、表示部２３に表示される各階層での設定画面とともに説明する。尚、以下の説明では、使用者がリモコン２０を操作して空気調和機１の電流カット（空気調和機１で使用する電流の上限値を定める）設定を行う場合を例に挙げて説明する。
【００２０】
使用者がリモコン２０の操作部２２を操作していないとき、表示部２３には図４の画面ａに示すトップ画面２３ｄが表示されている。前述したように、トップ画面２３ｄには、現在の運転モード（画面ａでは冷房）、現在の設定温度（画面ａでは２８℃）、現在の時刻（画面ａでは午後７：００）、第１ショートカットメニュー２３ａ、第２ショートカットメニュー２３ｂ、および第３ショートカットメニュー２３ｃが表示される。
【００２１】
第１ショートカットメニュー２３ａ〜第３ショートカットメニュー２３ｃは、リモコン２０の工場出荷時に製造者が定めた３つの運転設定項目が表示されるように設定されており、ここでは、第１ショートカットメニュー２３ａには「風向」、第２ショートカットメニュー２３ｂには「風量」、第３ショートカットメニュー２３ｃには「タイマー設定」が表示されるように設定されている。
【００２２】
使用者がリモコン２０のメニューキー２２ｃを押下すると、表示部２３の表示が画面ａのトップ画面２３ｄから階層が１段階下の画面ｂの運転設定項目メニュー画面２３ｅに切り替わる。
【００２３】
運転設定項目メニュー画面２３ｅには、トップ画面２３ｄと同じく現在の時刻を表示するとともに、室内機１０に搭載されている各運転設定項目について設定するための運転設定項目が表示される。本実施形態のリモコン２０では、図４の画面ｂに示すように、「ハイパワー」（空気調和機１の運転開始時に、一定時間能力を高めて運転する）、「運転モード」（冷房／暖房を選択する）、「風向」（室内機１０の風向板の向きや動きを設定する）、「風量」（室内機１０から吹き出される空気量を設定する）、「内部清掃」（室内機１０内部の自動清掃を設定する）、「フィルタおそうじ」（室内機１０の集塵フィルタの自動清掃を設定する）、「タイマー設定」（室内機１０のタイマー運転を設定する）、および「機能設定」（上記以外の空調運転に関する様々な運転設定項目を設定）といった運転設定項目が表示されている。
【００２４】
表示部２３に画面ｂに示す運転設定項目メニュー画面２３ｅが表示されたときは、左上に表示される「ハイパワー」メニューが選択されるよう、リモコン２０の工場出荷時に設定されている。尚、選択された運転設定項目は、図４に示すように、黒塗り／白抜き文字で表示部２３に表示される。使用者は、カーソルキー２２ｂを操作して設定したい運転設定項目を選択し、決定キー２２ａを押下する。ここでは、機能設定メニューの下層に構築されている「電流カット」メニューを設定するので、使用者は、図４の画面ｃに示すように、カーソルキー２２ｂを操作して「機能設定」メニューを選択し、決定キー２２ａを押下する。
【００２５】
使用者がカーソルキー２２ｂを操作して「機能設定」メニューを選択し、決定キー２２ａを押下すると、表示部２３の表示が画面ｃの運転設定項目メニュー画面２３ｅから階層が１段階下の画面ｄの詳細運転設定項目メニュー画面２３ｆに切り替わる。
【００２６】
詳細運転設定項目メニュー画面２３ｆには、トップ画面２３ｄや運転設定項目メニュー画面２３ｅと同じく現在の時刻を表示するとともに、「機能設定」メニューの下層に構築されている詳細運転設定項目が表示される。図４の画面ｄには、本実施形態のリモコン２０に搭載されている詳細運転設定項目の一部を示しており、例えば、「除湿モード」（空気調和機１が除霜運転を行うときの除霜運転モードを選択）、「自動パワフル」（空調運転開始時等、室温と設定温度の差が大きいときに一定時間自動でハイパワー運転とする））、「省エネファン」（室内機１０の送風ファン回転数の上限値を設定する）、「電流カット」（他の電気機器と空気調和機１を併用しているときに契約電流を超えないように、空気調和装置１の最大電流を制限する）といった詳細運転設定項目が表示されている。尚、詳細運転設定項目メニュー画面２３ｆの下方には、表示部２３に詳細運転設定項目メニュー画面２３ｆが表示されるのに合わせて、選択されている詳細運転設定項目を簡潔に説明する説明画面２３ｇが表示される。
【００２７】
表示部２３に画面ｄに示す詳細運転設定項目メニュー画面２３ｆが表示されたときは、一番上に表示される「除湿モード」メニューが選択されるよう、リモコン２０の工場出荷時に設定されている。このとき、説明画面２３ｇには、選択されている「除湿モード」メニューの説明が表示される。使用者は、カーソルキー２２ｂを操作して設定したい詳細運転設定項目を選択し、決定キー２２ａを押下する。ここでは、使用者は、図４の画面ｅに示すように、カーソルキー２２ｂを操作して詳細運転設定項目メニュー画面２３ｆの一番下に表示されている「電流カット」メニューを選択し、決定キー２２ａを押下する。このとき、説明画面２３ｇには、「電流カット」メニューの説明が表示されている。
【００２８】
使用者がカーソルキー２２ｂを操作して「電流カット」メニューを選択し、決定キー２２ａを押下すると、表示部２３の表示が画面ｅの詳細運転設定項目メニュー画面２３ｆから階層が１段階下の画面ｆの選択画面２３ｈに切り替わる。
【００２９】
選択画面２３ｈには、これまでに説明した各画面と同じく現在の時刻を表示するとともに、「電流カット」メニューの選択肢が表示される。ここでは、図４の画面ｆに示すように、電流カットの程度を表す「大」、「中」、「小」が表示される。使用者は、所望する電流カットの程度を選択（図４の画面ｆでは「大」）し、決定キーを押下する。このとき、選択画面２３ｈの下方には、詳細運転設定項目メニュー画面２３ｆと同様に説明画面２３ｇが表示されており、説明画面２３ｇには選択した電流カットの程度についての説明が表示される。
【００３０】
以上の操作により、使用者による電流カットの設定が完了する。リモコン２０の制御部２１は、操作部２２のカーソルキー２２ｂや決定キー２２ａが操作されて「電流カット」メニューの程度「大」が選択されたことを認識し、室内機１０や室外機３０で使用する電流の上限値が１／２となるように制御する。
【００３１】
以上説明したように、使用者がリモコン２０の操作部２２を操作して「電流カット」に関する設定を行うときは、図４の示す表示部２３の画面ａから画面ｆに至るまでに、複数回の操作部２３の操作と画面の切り替えが必要となるため操作手順が多くなって操作が煩雑になる。そして、使用者がこの「電流カット」に関する設定を頻繁に行う場合は、「電流カット」に関する設定が必要となる度に上述した操作手順を踏むこととなり、使用者にとって煩わしいものとなる。
【００３２】
そこで、本発明のリモコン２０では、各運転設定項目や詳細運転設定項目の操作回数に応じて、トップ画面２３ｄに表示される第１ショートカットメニュー２３ａ〜第３ショートカットメニュー２３ｃの表示を入れ替える。ここで、操作回数とは、表示部２３に各運転設定項目や詳細運転設定項目を表示させた回数や、カーソルキー２２ｂを操作して各運転設定項目や詳細運転設定項目を選択した回数ではなく、前述した「電流カット」の設定変更のように、各運転設定項目や詳細運転設定項目について新たな設定や設定変更した場合をカウントするものである。
【００３３】
前述したように、表示部２３に表示されるトップ画面２３ｄには、リモコン２０の工場出荷時に製造者が定めた運転設定項目が各ショートカットメニューに表示されるように設定されており、ここでは、第１ショートカットメニュー２３ａには「風向」、第２ショートカットメニュー２３ｂには「風量」、第３ショートカットメニュー２３ｃには「タイマー設定」が表示されるように設定されている。
【００３４】
そして、第１ショートカットメニュー２３ａに表示される運転設定項目は操作回数が一番多いもの、第２ショートカットメニュー２３ｂに表示される運転設定項目は操作回数が二番目に多いもの、第３ショートカットメニュー２３ｃに表示される運転設定項目は操作回数が三番目に多いものとされ、最初に第１ショートカットメニュー２３ａ〜第３ショートカットメニュー２３ｃに表示される運転設定項目には、例えば、「風向」：２０回、「風量」：１０回、「タイマー設定」：５回というように、操作回数が予め重み付けされて割り当てられている。
【００３５】
以上説明したように、リモコン２０の出荷時に、第１ショートカットメニュー２３ａ〜第３ショートカットメニュー２３ｃに操作回数が予め割り当てられて運転設定項目が表示されるように設定されている。この状態で使用者がリモコン２０の使用を開始し、第３ショートカットメニュー２３ｃに表示されている運転設定項目（ここでは「タイマー設定」。操作回数が一番少ないもの）より他の運転設定項目の操作回数が多くなれば、「タイマー設定」と当該運転設定項目とが入れ替わる。
【００３６】
具体的には、リモコン２０の制御部２１がカウントした各運転設定項目や詳細運転設定項目の操作回数が記憶部２４に記憶されており、制御部２１は、第３ショートカットメニュー２３ｃに表示されている運転設定項目あるいは詳細運転設定項目より操作回数が多いものが現れれば、当該運転設定項目あるいは詳細運転設定項目と現在第３ショートカットメニュー２３ｃに表示されている運転設定項目あるいは詳細運転設定項目を入れ替える。
【００３７】
例えば、前述した「電流カット」の操作回数が「タイマー設定」の操作回数を超えた場合、第３ショートカットメニュー２３ｃに表示されるものが、工場出荷時は図５の画面ａに示す「タイマー設定」から、図５の画面ｇに示す第３ショートカットメニュー２３ｃ１のように「電流カット」に入れ替えられる。
【００３８】
以上のように、図５の画面ａに示す第３ショートカットメニュー２３ｃ：「タイマー設定」メニューから、図５の画面ｇに示す第３ショートカットメニュー２３ｃ１：「電流カット」メニューに表示が入れ替えられた後に、使用者が「電流カット」に関する設定を変更したいときは、図４の画面ａに示すトップ画面２３ｄおいてカーソルキー２２ｂを操作して第３ショートカットメニュー２３ｃ１を選択し決定キー２２ａを押下する。そうすれば、表示部２３に図４に示す選択画面２３ｈが表示される、つまり、図４の画面ｂ〜画面ｅに至るまでの操作が不要となり、簡便な操作で「電流カット」に関する設定が行える。
【００３９】
ここで、第１ショートカットメニュー２３ａ〜第３ショートカットメニュー２３ｃに表示されている運転設定項目あるいは詳細運転設定項目は、操作回数の順位が変わってもその表示場所を変更しない。例えば、これまでは、操作回数が一番多く第１ショートカットメニュー２３ａに表示されていた「風向」メニューが、第２ショートカットメニュー２３ｂに表示されていた「風量」メニューの操作回数より少なくなったときでも、そのまま第１ショートカットメニュー２３ａには「風向」メニューを、第２ショートカットメニュー２３ｂには「風量」メニューを、それぞれ表示し続ける。これは、第１ショートカットメニュー２３ａ〜第３ショートカットメニュー２３ｃに表示される運転設定項目あるいは詳細運転設定項目を操作回数に応じて頻繁に入れ替えると、各ショートカットメニューの表示位置が頻繁に変わることで、使用者が各ショートカットメニューを操作する際に戸惑いが生じて操作性が低下することを防ぐためである。
【００４０】
従って、使用者がリモコン２０の操作を開始して、第１ショートカットメニュー２３ａ〜第３ショートカットメニュー２３ｃに表示される運転設定項目あるいは詳細運転設定項目の操作回数を超える運転設定項目あるいは詳細運転設定項目が初めて現れたときは、上述したように第３ショートカットメニュー２３ｃに表示される運転設定項目あるいは詳細運転設定項目が変更されるが、これ以降は上記に限らない。例えば、第１ショートカットメニュー２３ａに表示される運転設定項目あるいは詳細運転設定項目が、第１ショートカットメニュー２３ａに表示される運転設定項目あるいは詳細運転設定項目のうちで一番操作回数が少なくなっている場合は、第１ショートカットメニュー２３ａに表示される運転設定項目あるいは詳細運転設定項目が変更されることとなる。
【００４１】
次に、図６に示すフローチャートを用いて、上述した第１ショートカットメニュー２３ａ〜第３ショートカットメニュー２３ｃに表示される運転設定項目あるいは詳細運転設定項目の入れ替えを行うときの、制御部２１が行う処理について説明する。図６のフローチャートにおいて、ＳＴは処理のステップを表しこれに続く数字はステップ番号を表している。尚、以下の説明では、運転設定項目と詳細運転設定項目を合わせて「運転設定項目」と記載する。
【００４２】
制御部２１は、リモコン２０で設定が行える各運転設定項目について操作回数をカウントする（ＳＴ１）。制御部２１は、各運転設定項目についての新たな設定や設定変更のためにリモコン２０の操作部２２が操作される度に、操作された運転設定項目に対応付けてその操作回数を記憶部２４に記憶している。
【００４３】
次に、制御部２１は、記憶部２４にアクセスし、第１ショートカットメニュー２３ａ〜第３ショートカットメニュー２３ｃに表示されている運転設定項目のうち、操作回数が一番少ないものを抽出する（ＳＴ２）。
【００４４】
次に、制御部２１は、ＳＴ２で抽出した第１ショートカットメニュー２３ａ〜第３ショートカットメニュー２３ｃに表示されている運転設定項目のうち操作回数が一番少ないものより操作回数が多いものが、第１ショートカットメニュー２３ａ〜第３ショートカットメニュー２３ｃに表示されていない運転設定項目の中にあるか否かを判断する（ＳＴ３）。
【００４５】
操作回数が多い運転設定項目がなければ（ＳＴ３−Ｎｏ）、制御部２１は、ＳＴ１に処理を戻す。操作回数が多い運転設定項目があれば（ＳＴ３−Ｙｅｓ）、制御部２１は、当該運転設定項目を第１ショートカットメニュー２３ａ〜第３ショートカットメニュー２３ｃに表示されている運転設定項目のうち操作回数が一番少ないものと入れ替えて（ＳＴ４）、第１ショートカットメニュー２３ａ〜第３ショートカットメニュー２３ｃに表示する。尚、操作回数が一番少ないものが複数（例えば、第１ショートカットメニュー２３ａに表示されている運転設定項目の操作回数が一番多く、第２ショートカットメニュー２３ｂと第３ショートカットメニュー２３ｃに表示されている運転設定項目の操作回数が次に多くかつ同じである場合は、後に当該操作回数となった方のショートカットメニューの表示と入れ替えればよい。
【００４６】
ＳＴ４の処理を終えた制御部２１は、ＳＴ１に処理を戻す。
【実施例２】
【００４７】
次に、本発明における第２の実施形態について説明する。第２の実施形態では、リモコン２０の構成や、図４を用いて説明した各運転設定項目の設定方法およびその際のリモコン２０の操作方法については、第１の実施形態と同じであるため、詳細な説明は省略する。第１の実施形態と異なるのは、第１ショートカットメニュー２３ａ〜第３ショートカットメニュー２３ｃに表示される運転設定項目あるいは詳細運転設定項目の入れ替え方法である。
【００４８】
第１の実施形態では、リモコン２０が操作される度に、操作された運転設定項目あるいは詳細運転設定項目の操作回数をカウントし、運転設定項目あるいは詳細運転設定項目の第１ショートカットメニュー２３ａ〜第３ショートカットメニュー２３ｃに表示される運転設定項目あるいは詳細運転設定項目の中で一番操作回数が少ないものを超えるものがあれば、第１ショートカットメニュー２３ａ〜第３ショートカットメニュー２３ｃに表示される運転設定項目あるいは詳細運転設定項目を入れ替えていた。
【００４９】
これに対し、第２の実施形態では、一定期間（例えば、１週間）における各運転設定項目あるいは各詳細運転設定項目の操作回数を集計し、一番操作回数の多いものから順に３つの運転設定項目あるいは詳細運転設定項目を第１ショートカットメニュー２３ａ〜第３ショートカットメニュー２３ｃに表示するよう、トップ画面２３ｄを更新する。尚、トップ画面２３ｄを更新時期は、空気調和機１を設置した後リモコン２０を初めて使用した時点を起点としてもよく、使用者が定める時点（例えば、毎週月曜日のＰＭ９：００）に更新するようにしてもよい。
【００５０】
具体的には、制御部２１は、１週間の間に各運転設定項目あるいは各詳細運転設定項目の操作回数を集計して記憶部２４に記憶する。そして、１週間経過後に記憶部２４から集計結果を読み出し、その結果が例えば「風向」運転設定項目の操作回数が一番多く、その次に操作回数の多いのが「風量」運転設定項目、次に多いのが「電流カット」運転設定項目である場合は、表示部２３に表示するトップ画面２３ｄを図５に示す画面ｇのように更新する。
【００５１】
次に、図７に示すフローチャートを用いて、第２の実施形態における、第１ショートカットメニュー２３ａ〜第３ショートカットメニュー２３ｃに表示される運転設定項目あるいは詳細運転設定項目の入れ替えを行うときの、制御部２１が行う処理について説明する。図７のフローチャートにおいて、ＳＴは処理のステップを表しこれに続く数字はステップ番号を表している。尚、以下の説明では、運転設定項目と詳細運転設定項目を合わせて「運転設定項目」と記載する場合がある。
【００５２】
制御部２１は、計時部２６を用いてタイマー計測を開始する（ＳＴ２１）。次に、制御部２１は、リモコン２０で設定が行える各運転設定項目についての操作回数をカウントする（ＳＴ２）。制御部２１は、リモコン２０が操作される度に、操作された運転設定項目に対応付けてその操作回数を記憶部２４に記憶している。
【００５３】
次に、制御部２１は、ＳＴ２１でタイマー計測を開始してから一定期間経過したか否かを判断する（ＳＴ２３）。一定期間が経過していなければ（ＳＴ２３−Ｎｏ）、制御部２１は、ＳＴ２２に処理を戻し各運転設定項目の操作回数のカウントを継続する。
【００５４】
一定期間が経過していれば（ＳＴ２３−Ｙｅｓ）、制御部２１は、記憶部２４にアクセスし操作回数の多い上位３つの運転設定項目を第１ショートカットメニュー２３ａ〜第３ショートカットメニュー２３ｃに表示する（ＳＴ２４）。
【００５５】
ＳＴ２４の処理を終えた制御部２１は、タイマーをリセットし（ＳＴ２５）、ＳＴ２１に処理を戻す。
【００５６】
以上説明した通り、本発明のリモコンは、電気機器本体の運転設定項目毎に操作された回数を記憶し、操作回数の多い運転設定項目を自動でショートカットメニューとして自動的に表示する。従って、煩わしいショートカットメニューの登録操作が必要なく、かつ、操作頻度の高い運転設定項目についての設定を行う度に煩わしい操作を繰り返すということも防ぐことができる。
【符号の説明】
【００５７】
１  空気調和機
１０  室内機
２０  リモコン
２１  制御部
２２  操作部
２２ａ  決定キー
２２ｂ  カーソルキー
２２ｃ  メニューキー
２２ｄ  運転／停止キー
２３  表示部
２３ａ  第１ショートカットメニュー
２３ｂ  第２ショートカットメニュー
２３ｃ  第３ショートカットメニュー
２３ｄ  トップ画面
２３ｅ  運転設定項目メニュー画面
２３ｆ  詳細運転設定項目メニュー画面
２３ｇ  説明画面
２３ｈ  選択画面
２４  記憶部
２５  送信部
２６  計時部
３０  室外機
【図１】
0006428236.tif 000002
【図２】
0006428236.tif 000003
【図３】
0006428236.tif 000004
【図４】
0006428236.tif 000005
【図５】
0006428236.tif 000006
【図６】
0006428236.tif 000007
【図７】
0006428236.tif 000008